(57)【要約】      （修正有）【課題】宅配ボックスを簡単安価に組み立てでき、盗難も抑制できる宅配ボックスの台座構造を提供する。【解決手段】台座３０は、宅配ボックスの本体を支える。台座３０が、Ｚ方向上側に配置され、１以上の上側貫通孔４１を有する上側平板４０と、Ｚ方向下側に配置され、１以上の下側貫通孔５１を有する下側平板５０と、上側平板４０と下側平板５０との間にＺ方向に延在するように配置される１以上の棒状部材６０と、上側貫通孔４１に挿通され、上側平板４０と棒状部材６０の上側を締結する上側ボルト８１と、下側貫通孔５１に挿通され、下側平板５０と棒状部材６０の下側を締結する下側ボルト８３と、を備える構成とした。【選択図】図２
2018193734.tif 000002
【特許請求の範囲】
【請求項１】
宅配ボックスの本体を支える前記宅配ボックスの台座構造であって、
高さ方向の上側に配置され、１以上の上側貫通孔を有する上側平板と、
前記高さ方向の下側に配置され、１以上の下側貫通孔を有する下側平板と、
前記上側平板と前記下側平板との間に前記高さ方向に延在するように配置される１以上の棒状部材と、
前記上側貫通孔に挿通され、前記上側平板と前記棒状部材の上側を締結する上側締結部材と、
前記下側貫通孔に挿通され、前記下側平板と前記棒状部材の下側を締結する下側締結部材と、
を備える、宅配ボックスの台座構造。
【請求項２】
前記１以上の棒状部材により前記上側平板と前記下側平板との間に形成された空間は、ブロックが収容可能であり、
前記１以上の棒状部材は、前記ブロックが有する高さ方向に延在する空隙部である貫通孔と切欠のうちの少なくとも一方を通過するように配置される、請求項１に記載の宅配ボックスの台座構造。
【請求項３】
前記棒状部材は、
外側筒状部と、
前記外側筒状部の内側に配置される内側円筒状部と、
径方向に伸びて前記外側筒状部と前記内側円筒状部を連結する連結部と、を含み、
前記上側締結部材及び前記下側締結部材の先端側が、前記内側円筒状部の内部に挿入されて固定される、請求項１又は２に記載の宅配ボックスの台座構造。
【請求項４】
前記上側平板は、１以上の固定板用貫通孔を有し、
前記上側平板の上面に載置され、前記高さ方向に延在して上側に開口する１以上の本体固定用孔と該高さ方向に延在して下側に開口する１以上の上側平板固定用孔を含む本体固定用板と、
前記本体の底を前記高さ方向の上側から貫通すると共に先端が前記本体固定用孔に挿入され、前記宅配ボックスの前記本体と前記本体固定用板を締結する本体固定用締結部材と、
前記高さ方向の下側から前記固定板用貫通孔を貫通すると共に先端が前記上側平板固定用孔に挿通され、前記本体固定用板と前記上側平板を締結する上側平板固定用締結部材と、
を備える、請求項１乃至３のいずれか１つに記載の宅配ボックスの台座構造。
【請求項５】
前記棒状部材は、外周面に係止部を有し、前記係止部が外側に向いた状態で前記上側平板及び前記下側平板に固定され、
組み立て状態において、表面が側面の一部を構成し、裏面に設けられた被係止部が前記係止部に係止される装飾板を備える、請求項１乃至４のいずれか１つに記載の宅配ボックスの台座構造。
【請求項６】
前記下側平板は、裏面の四隅にねじ孔を有し、
前記各ねじ孔に締め込まれ、締め込み量が調整可能なアジャスタボルトを備える、請求項１乃至５のいずれか１つに記載の宅配ボックスの台座構造。
【発明の詳細な説明】
【技術分野】
【０００１】
本開示は、宅配ボックスの台座構造に関する。
【背景技術】
【０００２】
従来、宅配ボックスとしては、特許文献１に記載されているものがある。この宅配ボックスは、前面に扉が形成されたボックス本体と、ボックス本体から下側に突出すると共に奥行き方向に延在する４条の平板を有する。４条の平板のうちの２条の平板は、ボックス本体の下側における幅方向の両端部に設けられ、残りの２条の平板は、両端の平板から略コンクリートブロックの幅方向寸法だけ間隔をおいて内側の位置に設けられる。
【０００３】
両端の平板とその内側の平板との間には、貫通孔が幅方向に延在するようにコンクリートブロックが配置される。また、各平板は、奥行き方向に間隔をおいて配置された２つのボルト挿通孔を有する。宅配ボックスの幅方向から見たとき、コンクリートブロックを挟み込んだ一対の平板のボルト挿入孔の位置はコンクリートブロックの貫通孔の位置に一致する。そこで、長尺のボルトをコンクリートブロックの貫通孔、および一対のボルト挿入孔に挿通してナットを締結することによって、宅配ボックスが２つのコンクリートブロックと一体化され、宅配ボックスの台座構造がコンクリートブロックを利用して構成される。
【先行技術文献】
【特許文献】
【０００４】
【特許文献１】実開昭６１−１５０９４５号公報
【発明の概要】
【発明が解決しようとする課題】
【０００５】
上記宅配ボックスでは、購入者がコンクリートブロックを用意すればよく、製造コストと輸送コストを低減できる。また、購入者が、ボックス本体の２条の平板部の間にコンクリートブロックを配置してボルトとナットでねじ止めするだけで、宅配ボックスを業者の手を借りずに容易に組み立て出来る。
【０００６】
しかし、上記宅配ボックスは、外部からナット及びボルトを容易に外すことができ、ボックス本体と重量物であるコンクリートブロックを容易に分離できるので、宅配ボックスのボックス本体を持ち去られる虞がある。
【０００７】
そこで、本開示の課題は、宅配ボックスを簡単安価に組み立てでき、宅配ボックスの本体の盗難も抑制できる宅配ボックスの台座構造を提供することにある。
【課題を解決するための手段】
【０００８】
上記課題を解決するため、本開示の宅配ボックスの台座構造は、宅配ボックスの本体を支える宅配ボックスの台座構造であって、高さ方向の上側に配置され、１以上の上側貫通孔を有する上側平板と、高さ方向の下側に配置され、１以上の下側貫通孔を有する下側平板と、上側平板と下側平板との間に高さ方向に延在するように配置される１以上の棒状部材と、上側貫通孔に挿通され、上側平板と棒状部材の上側を締結する上側締結部材と、下側貫通孔に挿通され、下側平板と棒状部材の下側を締結する下側締結部材と、を備える。
【発明の効果】
【０００９】
本開示の宅配ボックスの台座構造によれば、宅配ボックスを簡単安価に組み立てでき、宅配ボックスの本体の盗難も抑制できる。
【図面の簡単な説明】
【００１０】
【図１】宅配ボックスの概要を示す斜視図である。
【図２】上記宅配ボックスの台座構造の分解斜視図である。
【図３】上記台座構造の棒状部材の断面図である
【図４】アジャスタ板の図示を省略した上記台座構造の斜視図である。
【図５】上記宅配ボックスにおけるアジャスタ板の配設位置を表す模式図である。
【図６】変形例の台座構造における梱包の小型化の作用効果について説明する図である。
【図７】他の変形例の台座構造を説明する図である。
【図８】更なる変形例の台座構造を説明する図である。
【発明を実施するための形態】
【００１１】
以下、本開示を図示の形態により詳細に説明する。なお、下記実施形態および変形例で説明する構成のうちの二以上の構成を組み合わせて新たな実施形態を構築できることは、勿論である。また、以下の説明及び図面で、Ｘ方向は、宅配ボックス１の台座構造３０の幅方向であり、Ｙ方向は、宅配ボックス１の台座構造３０の奥行き方向であり、Ｚは、宅配ボックス１の台座構造３０の高さ方向である。Ｘ方向は、宅配ボックス１の幅方向に一致し、Ｙ方向は、宅配ボックス１の奥行き方向に一致し、Ｚ方向は、宅配ボックス１の高さ方向に一致する。Ｘ方向、Ｙ方向、及びＺ方向は、互いに直交する。
【００１２】
図１は、宅配ボックス１の概要を示す斜視図である。図１に示すように、宅配ボックス１は、本体１０と、台座構造（以下、単に台座という）３０を有し、本体１０は、外装体１２と、片開き型の扉１３を含む。外装体１２は、Ｙ方向一方側に荷物を出し入れする開口１４を有する。
【００１３】
扉１３におけるＸ方向一方側にあるＺ方向に延在する縁部には、その上側に上側軸部が設けられ、その下側に下側軸部が設けられる。Ｚ方向から見たとき、上側軸部と下側軸部は重なる。上側軸部と下側軸部の夫々は、外装体１２に回動自在に固定される。扉１３は、上側及び下側軸部を支点として外装体１２に対して回転可能となっている。
【００１４】
詳述しないが、扉１３は、例えば、その内側に宅配業者等が施錠を行うための操作部１５を有する。また、扉１３は、例えば、その外側に宅配業者等が扉１３を開けるための開ボタンと、伝票を差し込む伝票差込口と、捺印を実行させる捺印ボタンと、使用可能の有無を表示する表示部を有する。
【００１５】
例えば、宅配業者等は、先ず、扉が閉じられた宅配ボックス１の開ボタンを押して、扉１３を開け、荷物を外装体１２内に入れることができ、操作部１５を用いて、扉１３が閉じた状態で施錠を行うことができる。また、宅配業者等は、例えば、伝票を伝票差込口に入れ、捺印ボタンを押すことにより、本体１０に事前にセットされたシャチハタ式等の印鑑により伝票への押印を実行できる。また、荷物が入れられて施錠されると、表示部が、使用中を意図する表示を行う。これにより、住人等が専用キーやパスワードの入力等で荷物を取り出さない限り、他の荷物を収容できなくなる。なお、本体１０に荷物を収容する機能、伝票に押印する機能、荷物を取り出す機能、及び表示機能の夫々は、多種多様存在し、いずれの機能でもよく、説明した機能に限らない。
【００１６】
台座３０は、略直方体状の外形を有する。本体１０は、台座３０の上面に載置される。本体１０と、台座３０とは、外装体１２の底部１８を貫くように、本体固定用ねじ８５を、ワッシャ８６を介して底部１８の上側から底部１８及び台座３０に締め込むことで、一体化される。
【００１７】
次に、図２〜図５を用いて、台座３０の構成、及び本体１０と台座３０の一体化構造について、詳細に説明する。
【００１８】
図２は、台座３０の分解斜視図である。なお、図２においては、ワッシャ８６の図示及び記載を省略する。図２に示すように、台座３０は、上側平板４０、下側平板５０、６つの棒状部材６０、及び本体固定用板としてのアジャスタ板７０を備える。また、台座３０は、６つの上側ボルト８１、６つの下側ボルト８３、４つの本体固定用ねじ８５、及び４つの上側平板固定用ねじ８７を備える。上側ボルト８１は、上側締結部材の一例であり、下側ボルト８３は、下側締結部材の一例である。また、本体固定用ねじ８５は、本体固定用締結部材の一例であり、上側平板固定用ねじ８７は、上側平板固定用締結部材の一例である。
【００１９】
上側平板４０は、平面視が矩形の平板であり、金属や樹脂等で構成される。上側平板４０は、６つの上側貫通孔４１と４つの固定板用貫通孔４２を有する。６つの上側貫通孔４１は、ねじ孔である。また、３つの上側貫通孔４１は、Ｙ方向の一方側端部にＸ方向に互いに間隔をおいて配置され、残りの３つの上側貫通孔４１は、Ｙ方向の他方側端部にＸ方向に互いに間隔をおいて配置される。また、４つの固定板用貫通孔４２は、ねじ孔であり、上側平板４０の中央部にＸＹ方向で２行２列のマトリクス状に配置される。
【００２０】
下側平板５０は、平面視が矩形の平板であり、金属や樹脂等で構成される。下側平板５０のＸ方向の長さは、上側平板４０のＸ方向の長さと一致し、下側平板５０のＹ方向の長さは、上側平板４０のＹ方向の長さと一致する。下側平板５０は、６つの下側貫通孔５１を有する。６つの下側貫通孔５１は、ねじ孔である。また、３つの下側貫通孔５１は、Ｙ方向の一方側端部にＸ方向に互いに間隔をおいて配置され、残りの３つの下側貫通孔５１は、Ｙ方向の他方側端部にＸ方向に互いに間隔をおいて配置される。下側平板５０は、Ｚ方向から見たとき上側平板４０に重なるように上側平板４０に略平行に配置される。この状態で、Ｚ方向から見たとき、各上側貫通孔４１は下側貫通孔５１と重なる。
【００２１】
棒状部材６０は、樹脂で構成されてもよいが、金属で構成されると好ましい。棒状部材６０は、上側平板４０と下側平板５０との間にＺ方向に延在するように配置される。棒状部材６０は、コンクリートブロック（以下、単にブロックという）９０の切欠９１を通過するように配設される。
【００２２】
図２に示す例では、台座３０は、３つのブロック９０を利用して組み立てられる。各ブロック９０は、例えば、ＪＩＳ規格において、基本型でＸ寸法が１０ｃｍ（１０.３ｋｇ）のものを好適に使用できる。なお、ブロックとして、ＪＩＳ規格において、基本型でＸ寸法が１２ｃｍ、１５ｃｍ又は１９ｃｍのものを使用してもよく、隅型等の基本型以外のブロックを用いてもよい。又は、台座に異なる種類（大きさ又は型）の２以上のブロックを利用してもよい。
【００２３】
アジャスタ板７０は、樹脂又は金属製の平板であり、４つの貫通孔７１を有する。各貫通孔７１は、本体固定用孔及び上側平板固定用孔を兼用する。アジャスタ板７０は、Ｚ方向から見たとき、４つの貫通孔７１が４つの固定板用貫通孔４２に重なるように配設される。
【００２４】
以上の構成において、台座３０は、例えば次のように組み立てられる。詳しくは、先ず、上側平板固定用ねじ８７を、上側平板４０の下側から固定板用貫通孔４２及び貫通孔７１に締め込んで、上側平板４０及びアジャスタ板７０を互いに固定して一体化する。
【００２５】
また、下側ボルト８３を、下側平板５０の下側から下側貫通孔５１及び棒状部材６０の下側端部に締め込んで、下側平板５０に６つの棒状部材６０を固定する。ここで、棒状部材６０への下側ボルト８３の締め込みについてより詳しく説明する。図３は、棒状部材６０の断面図である。図３に示すように、棒状部材６０は、外側筒状部としての外側円筒状部６１、外側円筒状部６１の内側に同心状に配置される内側円筒状部６２、及び径方向に伸びて外側円筒状部６１と内側円筒状部６２を連結する連結部６３を含む。下側ボルト８３の軸部を、下側貫通孔５１を通過させた後、内側円筒状部６２の貫通孔の下側に圧入することで、下側平板５０に６つの棒状部材６０を固定する。例えば、下側ボルト８３を先端側が尖ったビスとし、内側円筒状部６２をタッピングホールとして機能させるとよい。この場合、内側円筒状部６２に軸方向に伸びる切欠を設けるとよい。また、内側円筒状部６２を雌ねじ構造として、下側ボルト８３の先端側をねじ止めしてもよい。
【００２６】
次に、３つのブロック９０を、下側平板５０の上面にＸ方向に３列に載置する。各ブロック９０は、各貫通孔９２がＺ方向に延在している状態で下側平板５０の上面に載置される。また、各ブロック９０は、Ｙ方向一方側の切欠９１がＺ方向に延在する１つの棒状部材６０を収容し、Ｙ方向他方側の切欠９１もＺ方向に延在する１つの棒状部材６０を収容するように、下側平板５０の上面に載置される。
【００２７】
続いて、上側平板４０を、Ｚ方向から見たとき上側貫通孔４１が棒状部材６０の上端面に重なるように６つの棒状部材６０の上端面上に載置する。その後、上側ボルト８１の軸部を、上側貫通孔４１を通過させた後、内側円筒状部６２の貫通孔の上側に圧入することで、上側平板４０を、６つの棒状部材６０に固定する。なお、上側ボルト８１をビスとし、内側円筒状部６２をタッピングホールとして機能させるとよい。この場合、内側円筒状部６２に軸方向に伸びる切欠を設けるとよい。また、内側円筒状部６２を雌ねじ構造として、上側ボルト８１をねじ止めしてもよい。
【００２８】
このようにして、上側平板４０、下側平板５０、アジャスタ板７０、及び６つの棒状部材６０を一体化し、台座３０を組み立てる。図４、すなわち、アジャスタ板７０の図示を省略した台座３０の斜視図に示すように、台座３０が組み立てられた状態で、２つの棒状部材６０が、各ブロック９０のＹ方向両側の切欠９１,９１を通過する。よって、各ブロック９０は、Ｘ方向、Ｙ方向及びＺ方向の移動が制限され、台座３０から離脱不可能になる。
【００２９】
組み立てられた台座３０は、４つの本体固定用ねじ８５を用いて宅配ボックス１の本体１０（図１参照）に固定される。詳しくは、図１及び図２を参照して、本体固定用ねじ８５を、扉１３が開いた状態の本体１０の底部１８の上側から、底部１８に設けられたねじ孔１９とアジャスタ板７０の貫通孔７１に螺合する。このようにして、アジャスタ板７０を宅配ボックス１の本体１０に取り付け、台座３０を本体１０に固定する。なお、アジャスタ板７０の貫通孔７１の上端部及び下端部のみを雌ねじ構造としてもよい。また、貫通孔７１をねじ孔でない円筒孔で構成してもよい。そして、本体固定用ねじ８５を先端が尖ったビスとして、本体固定用ねじ８５をアジャスタ板７０の貫通孔７１の上端部にねじ込んでもよい。また、上側平板固定用ねじ８７を先端が尖ったビスとして、上側平板固定用ねじ８７をアジャスタ板７０の貫通孔７１の下端部にねじ込んでもよい。
【００３０】
図５、すなわち、宅配ボックス１におけるアジャスタ板７０の配設位置を表す模式図に示すように、本体１０は、底部１８から下側に延びる脚部１６を有し、脚部１６の下側端部は、上側平板４０の上面のＹ方向の両端部上に載置される。アジャスタ板７０のＺ方向寸法は、脚部１６の下側端部が上側平板４０の上面に載置された状態において底部１８の下面と上側平板４０の上面との間に生じる隙間のＺ方向寸法に略一致する。アジャスタ板７０を用いることで、本体１０を台座３０に安定かつ確実に固定できる。
【００３１】
以上の説明より明らかなように、本開示の台座３０は、宅配ボックス１の本体１０を支える。また、台座３０は、Ｚ方向の上側に配置され、１以上の上側貫通孔４１を有する上側平板４０を備える。また、台座３０は、Ｚ方向の下側に配置され、１以上の下側貫通孔５１を有する下側平板５０と、上側平板４０と下側平板５０との間にＺ方向に延在するように配置される１以上の棒状部材６０を備える。また、台座３０は、上側貫通孔４１に挿通され、上側平板４０と棒状部材６０の上側を締結する上側ボルト８１と、下側貫通孔５１に挿通され、下側平板５０と棒状部材６０の下側を締結する下側ボルト８３と、を備える。
【００３２】
本構成によれば、６つの棒状部材６０が３つのブロック９０のＹ方向両側の切欠９１,９１を通過している状態で、上側平板４０、下側平板５０及び棒状部材６０を一体化でき、ブロック９０を用いて台座３０を簡単に構成できる。したがって、購入者がホームセンター等でブロック９０を購入して用意することで、製造コストと輸送コストを低減でき、更には宅配ボックス１を業者の手を借りずに容易に組み立て出来る。
【００３３】
より詳しくは、図６（ａ）、すなわち、台座構造３０においてアジャスタ板７０を有さないバーションにおける搬送部品を表す図に示すように、本開示の台座構造では、搬送する際、重量物で容積も大きいブロック９０を搬送する必要がない。そして、例えば、図６（ａ）に示す変形例では、上側平板４０、下側平板５０、複数の棒状部材６０、複数の上側ボルト８１、複数の下側ボルト８３、及び本体１０を上側平板４０に締結する１以上のボルト（図示せず）を、組立前の状態で搬送するだけでよい。したがって、それら搬送部品を収めた梱包材９５（図６（ｂ）参照）の重量を、図６（ｃ）に示すような組み立てた状態の台座の搬送用の梱包材３９５と比較すると、大きく低減できるだけでなく、梱包材９５の高さｃ１を、大きく低減でき、容積を大きく低減できる。よって、軽量化された梱包材９５を一度により多く搬送できるので、輸送コストを低減できる。なお、アジャスタ板７０を有する実施例の台座構造３０でも、梱包材（図示せず）の重量及び容積を、図６（ｃ）に示す梱包材３９５の重量及び容積よりも大きく低減でき、輸送コストを大きく低減できる。
【００３４】
また、２つの棒状部材６０を、ブロック９０のＹ方向両側の切欠９１,９１を通過させるだけで、宅配ボックス１が荷物を収容した状態で立設している場合に、上側及び下側ボルト８１,８３が外部に露出しないようにできる。したがって、その場合に、外部から上側及び下側ボルト８１,８３を取り外すことを不可能にできる。よって、重量物であるブロック９０を台座３０から容易に分離できないようにでき、その結果、宅配ボックス１の持ち去りが容易でなくなり、宅配ボックス１の盗難も抑制できる。
【００３５】
また、１以上の棒状部材６０により上側平板４０と下側平板５０との間に形成された空間は、ブロック９０が収容可能である。また、１以上の棒状部材６０は、ブロック９０が有するＺ方向に延在する空隙部である貫通孔９２と切欠９１のうちの少なくとも一方を通過するように配置されてもよい。
【００３６】
上記構成によれば、１以上の棒状部材６０が上側平板４０と下側平板５０との間に配置されている状態で、上側平板４０と下側平板５０の間にブロック９０を収容可能な空間を形成できる。そして、台座３０の購入者が、ホームセンター等で手に入れたブロック９０の切欠９１又は貫通孔９２に各棒状部材６０を通過させるように台座３０を組み立てるだけで、重量物であるブロック９０と一体となった台座３０を簡単安価に構成できる。更には、宅配ボックス１が荷物を収容した状態で立設している場合に、上側及び下側ボルト８１,８３が外部に露出しないようにできて、台座３０からのブロック９０の容易な分離を不可能にでき、宅配ボックス１の盗難を抑制できる。
【００３７】
また、棒状部材６０が、外側円筒状部６１と、外側円筒状部６１の内側に配置される内側円筒状部６２と、径方向に伸びて外側円筒状部６１と内側円筒状部６２を連結する連結部６３と、を含んでもよい。また、上側ボルト８１及び下側ボルト８３の先端側が、内側円筒状部６２の内部に挿入されて固定されてもよい。
【００３８】
上記構成によれば、棒状部材が中実である構成との比較で、棒状部材６０を軽量化でき、棒状部材６０の材料コスト及び輸送コストを低減できる。
【００３９】
また、上側平板４０は、１以上の固定板用貫通孔４２を有してもよい。また、台座３０は、上側平板４０の上面に載置され、Ｚ方向に延在して上側と下側に開口する１以上の貫通孔７１を含むアジャスタ板７０を備えてもよい。また、台座３０は、本体１０の底をＺ方向上側から貫通すると共に先端が貫通孔７１に挿通され、宅配ボックス１の本体１０とアジャスタ板７０を締結する本体固定用ねじ８５を備えてもよい。また、台座３０は、Ｚ方向下側から固定板用貫通孔４２を貫通すると共に先端が貫通孔７１に挿通され、アジャスタ板７０と上側平板４０を締結する上側平板固定用ねじ８７を備えてもよい。
【００４０】
上記構成によれば、アジャスタ板７０が存在するので、本体１０を台座３０に安定かつ確実に固定できる。また、アジャスタ板７０の重量分だけ宅配ボックス１を重くでき、宅配ボックス１の持ち去りを更に困難にできる。
【００４１】
尚、本開示は、上記実施形態およびその変形例に限定されるものではなく、本願の特許請求の範囲に記載された事項およびその均等な範囲において種々の改良や変更が可能である。
【００４２】
例えば、上記実施形態では、２つの棒状部材６０が、各ブロック９０のＹ方向両側の切欠９１をＺ方向に通過することで、ブロック９０が台座３０に対して分離不可能になる場合について説明した。しかし、少なくとも１つの棒状部材６０を、ブロック９０の貫通孔９２を貫通するように配置することで、ブロック９０を台座３０に対して分離不可能にしてもよい。
【００４３】
また、上側及び下側平板４０,５０が、平面視において矩形の形状を有する場合について説明した。しかし、上側平板及び下側平板のうちの少なくとも一方は、平面視において矩形の形状以外の如何なる形状を有してもよく、例えば、平面視において円形の形状等を有してもよい。また、各種締結部材の数は、図２に示す数に限らず、各種締結部材の数は、１以上の如何なる数であってもよい。また、各種締結部材のレイアウトも、図２に示すレイアウトに限らず、如何なるレイアウトであってもよい。また、ブロックの型及びレイアウトも図２に示す型及びレイアウトに限らず、１以上の如何なる数のブロックが用いられてもよく、各ブロックの型も如何なる型でもよい。
【００４４】
また、本体固定用板であるアジャスタ板７０の貫通孔７１が、本体固定用孔及び上側平板固定用孔を兼用する場合について説明した。しかし、本体固定用板に設けられる宅配ボックスの本体に固定するための本体固定用孔を、本体固定用板に設けられる上側平板に固定するための上側平板固定用孔と異なる孔としてもよい。また、アジャスタ板７０を用いる場合について説明した。しかし、アジャスタ板７０を省略して、上側平板を直接、宅配ボックスの本体に固定してもよい。
【００４５】
また、棒状部材６０が中空構造である場合について説明した。しかし、棒状部材は、中実構造であってもよく、例えば、延在方向の両端部に、上側締結部材を固定する有底の孔と下側締結部材を固定する有底の孔を有してもよい。
【００４６】
また、ブロック９０の切欠９１が視認可能であったが、ブロックの切欠を視認不可能にして、美観を向上させ、意匠性を高めるようにしてもよい。詳しくは、図７（ｂ）、すなわち、他の変形例の台座１３０に含まれる棒状部材１６０の断面図に示すように、棒状部材１６０が、外側筒状部１６１、内側円筒状部１６２、及び連結部１６３を含んでもよい。また、連結部１６３が、外側筒状部１６１と内側円筒状部１６２を連結してもよい。そして、外側筒状部１６１が、その外周面に係止部１６５を有してもよく、係止部１６５が外側に向いた状態で上側平板４０及び下側平板５０に固定されてもよい。また、台座１３０が、組み立て状態において、表面が側面の一部を構成し、裏面に設けられた被係止部１８５が係止部１６５に係止される装飾板１８０（図７（ｃ）参照）を備えてもよい。
【００４７】
そして、図７（ａ）に示す台座１３０に上側平板を固定する前の状態で、各棒状部材１６０において、係止部１６５がＹ方向の外側に位置するように、棒状部材１６０を下側平板５０に取り付けてもよい。また、図７（ｃ）に斜視図で示す装飾板１８０を、その被係止部１８５をＺ方向の上側から係止部１６５に嵌め込んで係止することで棒状部材１６０に取り付けてもよい。そして、その後、各棒状部材１６０の上側端部に図示しない上側平板を取り付けてもよい。なお、この場合、２つの装飾板１８０が用意されて、２つの装飾板１８０で台座１３０のＹ方向の両端部が覆われることは言うまでもない。この変形例によれば、ブロック９０の切欠９１形成側を美観に優れた装飾板１８０で覆うことができ、意匠性を向上させることができる。
【００４８】
なお、図７に示す例では、係止部１６５が、Ｚ方向に延在すると共に、外径側に行くにしたがって先細りとなる断面台形形状の溝で構成され、被係止部１８５が、その溝形状に対応する形状を有する突出部で構成されている。しかし、棒状部材側の係止部が、Ｚ方向に延在する突出部で構成され、装飾板側の被係止部が、溝で構成されてもよい。また、係止部及び被係止部の夫々の断面形状も、台形の形状に限らず、菱形形状や楕円形状等であってもよい。要は、係止部及び被係止部の夫々の断面形状は、台座の組み立て状態で、装飾板が、棒状部材から離脱不可能な形状であれば如何なる形状であってもよい。
【００４９】
また、宅配ボックスの載置面が水平でなくても宅配ボックスを安定に設置できるようにしてもよい。詳しくは、図８、すなわち、更なる変形例の台座２３０を説明する図に示すように、下側平板２５０が、裏側面の四隅にねじ孔（図示せず）を有してもよい。そして、台座２３０が、その各ねじ孔に締め込まれ、締め込み量が調整可能なアジャスタボルト２７０を備えてもよい。この変形例によれば、載置面の地形に応じて各アジャスタボルト２７０の締め込み量を調整できる。したがって、下側平板２５０の姿勢を、下側平板２５０が水平方向に略平行に広がるように調整できる。よって、宅配ボックスの載置面が水平でなくても宅配ボックスの本体を台座２３０で安定に支持できる。
【符号の説明】
【００５０】
１  宅配ボックス、  ３０,１３０,２３０  台座（台座構造）、  ４０  上側平板、  ４１  上側貫通孔、  ４２  固定板用貫通孔、  ５０,２５０  下側平板、  ５１  下側貫通孔、  ６０,１６０  棒状部材、  ６１  外側円筒状部、  ６２,１６２  内側円筒状部、  ６３,１６３  連結部、  ７０  アジャスタ板、  ７１  貫通孔、  ８１  上側ボルト、  ８３  下側ボルト、  ８５  本体固定用ねじ、  ８７  上側平板固定用ねじ、  ９０  ブロック、  ９１  ブロックの切欠、  ９２  ブロックの貫通孔、１６１  外側筒状部、  １６５  係止部、  １８０  装飾板、  １８５  被係止部、  ２７０  アジャスタボルト、  Ｘ方向  台座の幅方向、  Ｙ方向  台座の奥行き方向、  Ｚ方向  台座の高さ方向。
【図１】
2018193734.tif 000003
【図２】
2018193734.tif 000004
【図３】
2018193734.tif 000005
【図４】
2018193734.tif 000006
【図５】
2018193734.tif 000007
【図６】
2018193734.tif 000008
【図７】
2018193734.tif 000009
【図８】
2018193734.tif 000010